(57)【要約】      （修正有）【課題】電子ズーム機能において顔画像検出機能を有する場合に、顔画像の画像切り出し枠を顔画像の検出位置を中心として生成する。【解決手段】撮影画面の最大画角よりも小さい画角の画像切り出し枠を生成し、この画像切り出し枠内の画像を、画像処理を用いて拡大することによりズームアップを行う電子ズーム手段を備えたデジタルカメラ装置において、前記撮影画面内にある顔画像を検出する顔画像検出手段と、この顔画像検出手段により検出された顔画像を中心とする位置に前記画像切り出し枠を生成する切り出し枠生成手段とを備える。【選択図】図２
2009171428.tif 000002
【特許請求の範囲】
【請求項１】
撮影画面の最大画角よりも小さい画角の画像切り出し枠を生成し、この画像切り出し枠内の画像を、画像処理を用いて拡大することによりズームアップを行う電子ズーム手段を備えたデジタルカメラ装置において、
前記撮影画面内にある顔画像を検出する顔画像検出手段と、
この顔画像検出手段により検出された顔画像を中心とする位置に前記画像切り出し枠を生成する切り出し枠生成手段と
を備えたことを特徴とするデジタルカメラ装置。
【請求項２】
前記顔画像検出手段により複数の顔画像が同時に検出されたときには、それら複数の顔画像のそれぞれの中心を結んで形成された図形における重心位置を算出する重心位置算出手段を備え、
前記切り出し枠生成手段は、前記重心位置算出手段により算出された重心位置を中心とし、前記顔画像検出手段により検出された複数の顔画像の中で前記重心位置から最も遠い位置にある顔画像を含む位置に画像切り出し枠を生成する手段を備えた
請求項１記載のデジタルカメラ装置。
【請求項３】
前記画像切り出し枠を、画像処理を用いて拡大する際の拡大速度を調整するズーム速度調整手段を備えた請求項１または２記載のデジタルカメラ装置。
【請求項４】
前記画像切り出し枠が画像処理を用いて拡大する過程の任意のタイミングにおいて撮影を実施するズーム途中撮影手段を備えた請求項１から３のいずれか１項記載のデジタルカメラ装置。
【請求項５】
前記画像切り出し枠内に有る顔画像の位置を中心位置から操作入力により指定された方向に、当該顔画像が前記画像切り出し枠から逸脱しない範囲で偏らせる中心位置調整手段を備えた請求項１から４のいずれか１項記載のデジタルカメラ装置。
【請求項６】
デジタルカメラ装置が、撮影画面の最大画角よりも小さい画角の画像切り出し枠を生成し、この画像切り出し枠内の画像を、画像処理を用いて拡大することによりズームアップを行う際に用いる電子ズームの制御方法において、
顔画像検出手段が、前記撮影画面内にある顔画像を検出し、
切り出し枠生成手段が、この顔画像検出手段により検出された顔画像を中心とする位置に前記画像切り出し枠を生成する
ことを特徴とする電子ズームの制御方法。
【請求項７】
重心位置算出手段が、前記顔画像検出手段により複数の顔画像が同時に検出されたときには、それら複数の顔画像のそれぞれの中心を結んで形成された図形における重心位置を算出し、
前記切り出し枠生成手段が、前記重心位置算出手段により算出された重心位置を中心とし、前記顔画像検出手段により検出された複数の顔画像の中で前記重心位置から最も遠い位置にある顔画像を含む位置に画像切り出し枠を生成する
請求項６記載の電子ズームの制御方法。
【請求項８】
ズーム速度調整手段が、前記画像切り出し枠を、画像処理を用いて拡大する際の拡大速度を調整する請求項６または７記載の電子ズームの制御方法。
【請求項９】
ズーム途中撮影手段が、前記画像切り出し枠が画像処理を用いて拡大する過程の任意のタイミングにおいて撮影を実施する請求項６から８のいずれか１項記載の電子ズームの制御方法。
【請求項１０】
中心位置調整手段が、前記画像切り出し枠内に有る顔画像の位置を中心位置から操作入力により指定された方向に、当該顔画像が前記画像切り出し枠から逸脱しない範囲で偏らせる請求項６から９のいずれか１項記載の電子ズームの制御方法。
【請求項１１】
情報処理装置にインストールすることにより、その情報処理装置に、
撮影画面の最大画角よりも小さい画角の画像切り出し枠を生成し、この画像切り出し枠内の画像を、画像処理を用いて拡大することによりズームアップを行うデジタルカメラ装置の電子ズーム機能を実現するプログラムにおいて、
前記撮影画面内にある顔画像を検出する顔画像検出機能と、
この顔画像検出機能により検出された顔画像を中心とする位置に前記画像切り出し枠を生成する切り出し枠生成機能と
を実現することを特徴とするプログラム。
【請求項１２】
前記顔画像検出機能により複数の顔画像が同時に検出されたときには、それら複数の顔画像のそれぞれの中心を結んで形成された図形における重心位置を算出する重心位置算出機能を実現し、
前記切り出し枠生成機能として、前記重心位置算出機能により算出された重心位置を中心とし、前記顔画像検出機能により検出された複数の顔画像の中で前記重心位置から最も遠い位置にある顔画像を含む位置に画像切り出し枠を生成する機能を実現する
請求項１１記載のプログラム。
【請求項１３】
前記画像切り出し枠を、画像処理を用いて拡大する際の拡大速度を調整するズーム速度調整機能を実現する請求項１１または１２記載のプログラム。
【請求項１４】
前記画像切り出し枠が画像処理を用いて拡大する過程の任意のタイミングにおいて撮影を実施するズーム途中撮影機能を実現する請求項１１から１３のいずれか１項記載のプログラム。
【請求項１５】
前記画像切り出し枠内に有る顔画像の位置を中心位置から操作入力により指定された方向に、当該顔画像が前記画像切り出し枠から逸脱しない範囲で偏らせる中心位置調整機能を実現する請求項１１から１４のいずれか１項記載のプログラム。
【発明の詳細な説明】
【技術分野】
【０００１】
本発明は、デジタルカメラ装置およびそのデジタルカメラ装置が行う電子ズームの制御方法およびこの電子ズームの制御方法を実行する機能を実現するプログラムに関する。
【背景技術】
【０００２】
近年、デジタルカメラ装置の技術動向として、顔画像検出機能を搭載するものが増加する傾向にある。また、センサの高画素化が進んだことにより、殆どの機種で画像切り出し処理によって多段階の拡大処理を行う電子ズームを備えており、携帯電話機のような小型の撮影装置では、光学ズームを搭載せずに電子ズームのみを搭載しているものも多い。
【０００３】
例えば、特許文献１に開示されている顔画像検出機能を有する撮影装置での人物撮影では、顔画像検出機能の利用用途として顔位置に合わせたフォーカスを行う、顔に重点を置いたホワイトバランス、ＡＥ(After Effect)等の色味調整を行うといったことで顔画像検出機能が利用されている。
【０００４】
【特許文献１】特開２００５−３４８１８１号公報
【特許文献２】特開平６−２１７１８７号公報
【発明の開示】
【発明が解決しようとする課題】
【０００５】
発明が解決しようとする課題を図９および図１０を参照して説明する。図９は、顔画像検出結果の画像を示す図である。図１０は、発明が解決しようとする課題を説明するための図である。
【０００６】
特許文献１における電子ズーム機能を用いた処理では、図９に示すように、最大画角１０１の中に有る顔画像に対し、顔画像検出枠１０３が生成される。顔画像検出結果１０２に対し、図１０（ａ）に示すように、最大画角２０１に対するズームによる画像切り出し枠２０２は、常に画角中央を中心とした画像切り出しをするズームを行うため、図１０（ｂ）に示すように、顔の位置が最大画角２０３の端に検出されている場合には、画像切り出しズーム処理を行うと検出された顔画像が画像切り出し枠２０４から外れてしまうという問題があった。
【０００７】
本発明は、このような課題を解決するために行われたものであり、電子ズーム機能において顔画像検出機能を有する場合に、顔画像の画像切り出し枠を顔画像の検出位置を中心として生成することができるデジタルカメラ装置および電子ズームの制御方法を提供することを目的とする。
【課題を解決するための手段】
【０００８】
本発明の第一の観点は、撮影画面の最大画角よりも小さい画角の画像切り出し枠を生成し、この画像切り出し枠内の画像を、画像処理を用いて拡大することによりズームアップを行う電子ズーム手段を備えたデジタルカメラ装置である。
【０００９】
ここで、本発明の特徴とするところは、前記撮影画面内にある顔画像を検出する顔画像検出手段と、この顔画像検出手段により検出された顔画像を中心とする位置に前記画像切り出し枠を生成する切り出し枠生成手段とを備えたところにある。
【００１０】
本発明の第二の観点は、デジタルカメラ装置が、撮影画面の最大画角よりも小さい画角の画像切り出し枠を生成し、この画像切り出し枠内の画像を、画像処理を用いて拡大することによりズームアップを行う際に用いる電子ズームの制御方法である。
【００１１】
ここで、本発明の特徴とするところは、顔画像検出手段が、前記撮影画面内にある顔画像を検出し、切り出し枠生成手段が、この顔画像検出手段により検出された顔画像を中心とする位置に前記画像切り出し枠を生成するところにある。
【００１２】
本発明の第三の観点、情報処理装置にインストールすることにより、その情報処理装置に、撮影画面の最大画角よりも小さい画角の画像切り出し枠を生成し、この画像切り出し枠内の画像を、画像処理を用いて拡大することによりズームアップを行うデジタルカメラ装置の電子ズーム機能を実現するプログラムである。
【００１３】
ここで、本発明の特徴とするところは、前記撮影画面内にある顔画像を検出する顔画像検出機能と、この顔画像検出機能により検出された顔画像を中心とする位置に前記画像切り出し枠を生成する切り出し枠生成機能とを実現するところにある。
【発明の効果】
【００１４】
本発明によれば、電子ズーム機能において顔検出機能を有する場合に、顔画像の画像切り出し枠を顔画像の検出位置を中心として生成することができる。
【発明を実施するための最良の形態】
【００１５】
（第一の実施形態）
本発明の第一の実施形態を図１から図８を参照して説明する。図１は、第一の実施形態のデジタルカメラ装置のブロック構成図である。図２は、第一の実施形態の電子ズーム機能のブロック構成図である。
【００１６】
第一の実施形態のデジタルカメラ装置は、図１に示すように、カメラセンサ１、データバス２、画像処理部３、ＣＰＵ４、表示部５、キー操作部６、メモリ部７により構成される。
【００１７】
カメラセンサ１は、ＣＣＤやＣ−ＭＯＳにより構成される撮像素子であり、図示していない光学レンズを介した画像がカメラセンサ１上に結像し、この結像した画像を電気信号に変換して画像データとする。また、カメラセンサ１は、データバス２を介して画像処理部３との間で画像データをやりとりする。キー操作部６はユーザがデジタルカメラ装置の起動または撮影またはズーム操作または画像の保存などの操作を入力する装置である。
【００１８】
画像処理部３は顔画像検出処理または画像切り出し枠表示処理またはズーム処理などの画像データの加工処理を行う。また、画像処理部３では画角データも保持する。画像処理部３で保持する画角データは、ズーム実行時に、実際に顔画像を中心として切り出されるズーム画角データおよび顔画像が無い場合に参照する中央切り出し画角データである。
【００１９】
ＣＰＵ４はキー操作部６から入力された操作により、カメラセンサ１に対し画像取得命令やデータ転送命令、画像処理部３に対し顔画像検出処理命令またはズーム処理命令またはデータ転送命令、メモリ部７へのデータ転送と保存処理とを行う。
【００２０】
画像処理部３またはＣＰＵ４は、図２に示すような本発明の電子ズーム機能のブロック構成を有する。なお、本実施形態では、図２に示す電子ズーム機能のブロック構成は、画像処理部３が有するとして説明する。
【００２１】
次に、本発明の電子ズーム機能を図２を参照して説明する。電子ズーム部１２は、撮影画面の最大画角よりも小さい画角の画像切り出し枠を生成し、この画像切り出し枠内の画像を、画像処理を用いて拡大することによりズームアップを行う。顔画像検出部１０は、撮影画角内にある顔画像を検出する。切り出し枠生成部１１は、顔画像検出部１０により検出された顔画像を中心とする位置に画像切り出し枠を生成する。
【００２２】
さらに、重心位置算出部１３は、顔画像検出部１２により複数の顔画像が同時に検出されたときには、それら複数の顔画像のそれぞれの中心を結んで形成された図形における重心位置を算出する。この場合に、切り出し枠生成部１１は、重心位置算出部１３により算出された重心位置を中心とし、顔画像検出部１０により検出された複数の顔画像の中で重心位置から最も遠い位置にある顔画像を含む位置に画像切り出し枠を生成する。
【００２３】
さらに、ズーム速度調整部１４は、ユーザがキー操作部６を操作することによって入力するズーム速度調整操作入力に基づき、画像処理を用いて画像切り出し枠を拡大する際の拡大速度を調整することによりズームアップの際の速度を調整する。
【００２４】
さらに、ズーム途中撮影部１５は、ユーザがキー操作部６を操作することによって入力する撮影指示入力（シャッタ入力）に基づき、画像切り出し枠が画像処理を用いて拡大する過程の任意のタイミングにおいて撮影を実施することができる。
【００２５】
例えば、ユーザがズーム速度調整部１４に対して最もスローなズーム速度を設定しておき、ゆっくりとズームアップが行われている途中に、ベストショットと思われる画像が得られたと判断してシャッタ入力を行えば、その時点のズームアップ位置での画像を撮影することができる。
【００２６】
これによれば、被写体の画像が、全身像→上半身像→胸像→顔画像とズームアップされて行く過程の任意のタイミングで撮影を行うことができるため、撮影の範囲を顔画像に限定することなく、ユーザの創作意欲を満足させることができる。また、被写体が動いているような場合には、いきなり顔画像を追跡することは困難であるので、全身像から徐々にズームアップされて行く過程において追跡可能な限界を把握するためにも役に立つ機能である。
【００２７】
さらに、中心位置調整部１６は、ユーザがキー操作部６を操作することによって入力する中心位置調整入力に基づき、画像切り出し枠内に有る顔画像の位置を中心位置から操作入力により指定された方向に、当該顔画像が画像切り出し枠から逸脱しない範囲で偏らせることができる。
【００２８】
キー操作部６は、上下左右の十字型の押しボタンスイッチを備えており、ユーザはこの十字型の押しボタンスイッチを操作することにより、上下左右の任意の方向に、当該顔画像が画像切り出し枠から逸脱しない範囲で顔画像を偏らせることができる。これにより、顔画像の位置を画面の中心に限定することなく、ユーザの創作意欲を満足させることができる。
【００２９】
このように、第一の実施形態は、顔画像検出機能と電子ズーム機能とを有するデジタルカメラ装置において、検出された顔画像の位置に合わせて切り出し位置を確定し、ズーム処理を行うことができる。図３は、第一の実施形態のズーム処理の概念図である。すなわち、図３に示すように、顔画像検出枠１０３を基に顔画像の位置に合わせて画像切り出し枠３０２（図３（ａ））および３０４（図３（ｂ））を変更することで、切り出しズーム処理を実行しても画角から人物の顔を外さないプレビューまたは撮影を可能にする。なお、符号３０１および３０３は最大画角を示す。
【００３０】
次に、第一の実施形態における顔画像検出を利用した電子ズームの処理の流れを示す。図４は、顔画像検出を利用した電子ズームの処理の流れを示すフローチャートである。図４に示すように、キー操作部６のキー操作によりカメラ起動が入力された場合には（ステップＳ１）、ＣＰＵ４の命令によりカメラセンサ１を起動し（ステップＳ２）、表示部５でのプレビュー表示を開始する（ステップＳ３）する。
【００３１】
画像処理部３の顔画像検出部１０は、カメラセンサ１から送られてくる画像に対し、顔画像検出処理を開始し（ステップＳ４）、顔画像が検出されたら（ステップＳ５のＹｅｓ）、顔画像検出枠を表示し（ステップＳ６）、顔位置に合わせた画像切り出し枠の画角を算出する（ステップＳ７）。この際、画像処理部３の電子ズーム部１２内で保持しているズーム画角データを更新する（ステップＳ８、Ｓ１８）。
【００３２】
また、顔画像が検出されない場合は（ステップＳ５のＮｏ）、画像処理部３の電子ズーム部１２内で保持している中央切り出し画角データを参照し（ステップＳ１６、Ｓ１７）、ズーム画角データを更新する（ステップＳ８、Ｓ１８）。
【００３３】
キー操作部６よりズーム処理が実行された場合には（ステップＳ９のＹｅｓ）、ズーム画角データ（ステップＳ１８）を基に画像切り出し枠を生成し（ステップＳ１０）、生成された画像切り出し枠を表示部５に切り換え表示する（ステップＳ１１）。
【００３４】
すなわち、これまで撮影し得る最大の範囲を最大画角にて表示していた表示部５が画像切り出し枠内の画像を最大画角にて表示する。これにより、撮影し得る最大の範囲では小さく撮影されていた画像切り出し枠内の画像が、この画像切り出し枠内の画像を最大画角にて表示したことにより拡大されて表示される。
【００３５】
拡大ズーム処理が実行されない場合は（ステップＳ９のＮｏ）、画像切り出し枠生成（ステップＳ１０）および画像切り出し枠内の画像の最大画角への切り換え表示（ステップＳ１１）は行わない。その後、シャッタボタンが押下された場合は（ステップＳ１２のＹｅｓ）、表示している画角での撮影画像を取得し（ステップＳ１９）、撮影画像をメモリ部７に保存する（ステップＳ２０）。
【００３６】
その後、プレビューが続行されれば（ステップＳ１３のＹｅｓ）、プレビューおよび顔画像検出処理を継続する（ステップＳ５）。プレビューが続行されなければ（ステップＳ１３のＮｏ）、カメラセンサ１を停止し（ステップＳ１４）、カメラ装置を停止する（ステップＳ１５）。
【００３７】
ここで、ズーム速度調整部１４によるズーム速度の調整は、ステップＳ１０の切り出し枠生成からステップＳ１１の切り出し枠表示に切り換えの過程において行われる。すなわち、ズーム速度調整指示が有れば（ステップＳ２０のＹｅｓ）、ステップＳ１０およびＳ１１において、瞬時に、最大撮影範囲の表示から画像切り出し枠内の表示に切り換えるのではなく、最大撮影範囲の表示から画像切り出し枠内の表示に、設定された時間をかけて徐々に、画像切り出し枠内の画像を拡大することによりズーム速度調整を実行する（ステップＳ２１）。
【００３８】
また、ズーム途中撮影部１５による撮影は、ステップＳ１０とＳ１１との間で、ズーム速度調整部１４により、最大撮影範囲の表示から画像切り出し枠内の表示に、設定された時間をかけて徐々に、画像切り出し枠内の画像を拡大している途中に（ステップＳ２１）、ズーム途中撮影の指示が有れば（ステップＳ２２のＹｅｓ）、ステップＳ１９の撮影画像取得に処理をジャンプさせる。
【００３９】
次に、切り出し枠生成部１１の画像切り出し枠設定方法に関して図５を参照して説明する。図５は、切り出し枠生成部１１の画像切り出し枠生成手順を示す図である。まず、図５（ａ）に示すように、顔画像検出枠８０１から顔が中心となる画像切り出し枠８０２を決定する。なお、符号８０３は収束する以前の画像切り出し枠である。
【００４０】
図５（ｂ）に示すように、画像切り出し枠８１２の一辺が画像切り出し枠８０２と重なる辺８１１まで中央切り出しを行い、その後は画像切り出し枠８０２と重なった辺８１１を固定し、図５（ｃ）に示すように、他の辺がそれぞれ画像切り出し枠８０２と重なるまで画像切り出し枠８２２を徐々に狭めていき、図５（ｄ）に示すように、最終的に、画像切り出し枠８２２と画像切り出し枠８２１とが一致する画像切り出し枠８３１まで切り出し処理を行うことで実現する。
【００４１】
（第一の実施形態の効果の説明）
以上説明したように、第一の実施形態においては、以下のような効果を奏する。
第一の効果は、人物を対象とした撮影時、ズーム操作により画角が狭くなる場合に人物の顔画像が画角から外れるのを防止することが可能である。
【００４２】
第二の効果は、画像処理部３に第一の実施形態によるズーム機能（図２の顔画像検出部１０以降のブロック構成）を組み込むことが可能なため、ハードウェア変更無しに安価かつ容易に実現できる。なお、画像処理部３の代わりに、ＣＰＵ４に第一の実施形態によるズーム機能を組み込んでもよい。
【００４３】
第三の効果は、画像処理部３（もしくはＣＰＵ４）に第一の実施形態によるズーム機能を組み込むことが可能なため、携帯電話機のようなカメラ機能を備えた小型の装置で容易に実現可能である。
【００４４】
（第二の実施形態）
本発明の第二の実施形態を図６を参照して説明する。図６は、第二の実施形態のズーム手順を説明するための図である。第二の実施形態として、その基本的構成は上記のとおりであるが、ズーム処理の部分において光学ズームと電子ズームとを組み合わせることも可能である実施形態を示す。
【００４５】
顔画像検出後、図６に示すように、顔画像が画角から外れない領域６０３まで光学ズームを行い、第一の実施形態で説明した電子ズーム処理を行うことで、顔画像位置に合わせた画像切り出し枠６０５を生成する。これにより、電子ズーム処理による画質劣化を最小限に抑えたズームアップ処理が可能である。ここで、符号６０１は最大画角、符号６０２は顔画像検出枠、符号６０４は光学ズームによるズームアップ範囲である。
【００４６】
なお、光学ズームと電子ズームとを組み合わせる実施形態については、特許文献２に類似の技術が開示されている。しかしながら、電子ズーム処理を行う際に、第一の実施形態で説明したズーム速度調整やズーム途中撮影を行う技術は、特許文献２には開示されておらず、これらの技術を含めて観れば、第二の実施形態と特許文献２の技術との差異は明らかである。
【００４７】
（第二の実施形態の効果の説明）
第二の実施形態によれば、第一の実施形態の電子ズーム機能を光学ズーム機能と電子ズーム機能とを有するデジタルカメラ装置においても有効に利用することができる。
【００４８】
（第三の実施形態）
本発明の第三の実施形態として、画像切り出し枠の設定方法に関して工夫した実施形態を図７を参照して説明する。図７は、第三の実施形態の画像切り出し枠の設定方法を説明するための図である。基本的構成では、図５に示したように、ズーム初期段階では中央切り出しを行うが、第三の実施形態では、図７に示すように、各辺において最大画角９０１から画像切り出し枠９０４までの距離を同比率にて狭め（ステップＳ９１１、Ｓ９２１）、最終的に画像切り出し枠９０２と画像切り出し枠９０４とが一致するまで切り出しを行う（ステップＳ９３１）。
【００４９】
（第三の実施形態の効果の説明）
第三の実施形態によれば、第一の実施形態と比べて最終的な画像切り出し枠を生成するまでの時間を短縮することができるため、電子ズームの処理時間を短縮することができる。
【００５０】
（第四の実施形態）
本発明の第四の実施形態を図８を参照して説明する。図８は、複数の顔画像が検出された場合の処理を説明するための図である。第四の実施形態は、カメラセンサ１に複数の顔画像が同時に検出された場合の処理についての実施形態である。
【００５１】
図８に示すように、複数の顔画像が検出された場合に、重心位置算出部１３は、複数の顔位置のそれぞれの中心を結んで形成された図形における重心位置７０１を算出し、その重心位置７０１を中心とした画像切り出し枠７０２を生成してズームを行うことで複数人物の顔を画角内にバランス良く配置した画角での撮影が可能である。このとき、顔画像検出部２により検出された複数の顔画像の中で重心位置から最も遠い位置にある顔画像を含む位置に画像切り出し枠７０２を生成する。
【００５２】
（第四の実施形態の効果の説明）
第四の実施形態によれば、複数の人物を対象とした撮影にも本実施形態の電子ズーム機能を応用することができる。
【００５３】
（第五の実施形態）
第一〜第四の実施形態における顔画像検出部１０は、人の顔画像を検出する機能を有する機能ブロックであるが、これに代えて、人以外の動物や花などの被写体を検出する機能を有する機能ブロックを設けることもできる。
【００５４】
（第五の実施形態の効果の説明）
第五の実施形態によれば、動物や花など人の顔画像以外の被写体を検出し、検出した被写体に対して本実施形態の電子ズーム機能を利用することができる。
【００５５】
（プログラムの実施形態）
情報処理装置にインストールすることにより、その情報処理装置に、本実施形態のデジタルカメラ装置に相応する機能を実現させるプログラムの実施形態を説明する。
【００５６】
本実施形態のプログラムは記録媒体に記録されることにより、情報処理装置は、この記録媒体を用いて本実施形態のプログラムをインストールすることができる。あるいは、本実施形態のプログラムを保持するサーバからネットワークを介して直接情報処理装置に本実施形態のプログラムをインストールすることもできる。
【００５７】
なお、本実施形態のプログラムは、情報処理装置によって直接実行可能なものだけでなく、ハードディスクなどにインストールすることによって実行可能となるものも含む。また、圧縮されたり、暗号化されたりしたものも含む。
【００５８】
（プログラムの実施形態の効果の説明）
これにより、情報処理装置を用いて、本実施形態の画像処理部２またはＣＰＵ４に相応する機能を実現することができる。なお、情報処理装置とは、例えば、汎用のＣＰＵあるいはマイクロ・コンピュータ装置である。  
【産業上の利用可能性】
【００５９】
本発明によれば、携帯電話機などのように、電子ズーム機能のみ、あるいは、電子ズーム機能が中心の小型のカメラ装置において、顔画像検出機能を有する場合に、画像の切り出し枠を顔画像の検出位置を中心として生成することができる。
【図面の簡単な説明】
【００６０】
【図１】第一の実施形態のデジタルカメラ装置のブロック構成図。
【図２】第一の実施形態の電子ズーム機能のブロック構成図。
【図３】第一の実施形態のズーム処理の概念図である。
【図４】第一の実施形態における顔画像検出を利用した電子ズームの処理の流れを示すフローチャートである。
【図５】第一の実施形態の切り出し枠生成部の画像切り出し枠生成手順を示す図である。
【図６】第二の実施形態のズーム手順を説明するための図である。
【図７】第三の実施形態の画像切り出し枠の設定方法を説明するための図である。
【図８】第四の実施形態の複数の顔画像が検出された場合の処理を説明するための図である。
【図９】顔画像検出結果の画像を示す図である。
【図１０】発明が解決しようとする課題を説明するための図である。
【符号の説明】
【００６１】
１  カメラセンサ
２  データバス
３  画像処理部
４  ＣＰＵ
５  表示部
６  キー操作部
７  メモリ部
１０  顔画像検出部
１１  切り出し枠生成部
１２  電子ズーム部
１３  重心位置算出部
１４  ズーム速度調整部
１５  ズーム途中撮影部
１６  中心位置調整部
１０１、２０１、２０３、３０１、３０２、６０１、９０１  最大画角
１０２  顔画像検出結果
１０３、８０１、６０２、９０３  顔画像検出枠
２０２、２０４、６０３、６０５、７０２、８０２、８０３、８２１、８２２、８３１、９０２、９０４、９１１、９２１、９３１  画像切り出し枠
６０３  領域
６０４  光学ズームによるズームアップ範囲
７０１  重心位置
８１１  辺
【図１】
2009171428.tif 000003
【図２】
2009171428.tif 000004
【図３】
2009171428.tif 000005
【図４】
2009171428.tif 000006
【図５】
2009171428.tif 000007
【図６】
2009171428.tif 000008
【図７】
2009171428.tif 000009
【図８】
2009171428.tif 000010
【図９】
2009171428.tif 000011
【図１０】
2009171428.tif 000012